Podtech/llm-jp-corpus-v4-ja_patent huggingface dataset:
【手続補正書】
【提出日】平成16年4月23日(2004.4.23)
【手続補正１】
【補正対象書類名】明細書
【補正対象項目名】特許請求の範囲
【補正方法】変更
【補正の内容】
【特許請求の範囲】
【請求項１】
画像を投射する投射手段と、
前記投射手段のリモートコントローラと、
を備えた映像投射システムであって、
前記リモートコントローラは、
ポインティングデバイス及び操作キーを含む操作部と、
前記操作部からの操作信号を送信する送信手段と、
を含み、
前記投射手段は、
前記画像の映像信号を主制御手段から受け取るための手段と、
前記操作信号を受信する受信手段と、
受信した前記ポインティングデバイス及び操作キーの所与の組合わせ操作信号にしたがって前記投射手段の調整を行う手段と、
受信した前記ポインティングデバイスの操作信号にしたがって前記画像に含まれる位置マークの表示位置が変るように、前記操作信号を前記主制御手段に与えるための手段と、を含む、映像投射システム。
【請求項２】
請求項１において、
前記投射手段は、
前記リモートコントローラから前記投射手段の調整を指示する操作キーの操作信号を受信した場合は前記ポインティングデバイスからの操作信号にしたがって前記投射手段の調整を行う、映像投射システム。
【請求項３】
請求項１、２のいずれかにおいて、
前記投射手段は、
前記主制御手段の制御管理下にある場合は前記画像に含まれる位置マークの表示位置が変るように、前記ポインティングデバイスからの操作信号を前記主制御手段に与える、映像投射システム。
【請求項４】
請求項３において、
前記主制御手段は、
主ポインティングデバイスを含む主操作部からの操作信号に従って投射画像上に位置マークを表示させる処理を行ない、前記主ポインティングデバイスからの操作信号と、前記リモートコントローラのポインティングデバイスからの操作信号とが競合した場合には、前記主ポインティングデバイスの操作信号に基づき、前記位置マークの表示位置を制御する、映像投射システム。
【請求項５】
請求項４において、
前記主制御手段は、
前記投射手段を制御するためのアプリケーションプログラムがインストールされ、前記アプリケーションプログラム及び前記主操作部からの操作信号に基づき前記投射手段を制御するように形成されたことを特徴とする映像投射システム。
【請求項６】
請求項４、５のいずれかにおいて、
前記リモートコントローラは、
前記主操作部の操作が割付可能な操作キーを含み、
前記主制御手段は、
前記リモートコントローラの操作キーに対する、前記主操作部の操作の割り付けを行う割付手段を含み、前記操作キーからの入力信号に基づき前記投射手段を制御することを特徴とする映像投射システム。
【請求項７】
請求項６において、
前記主制御手段は、
前記リモートコントローラからの操作信号と、前記主操作部からの操作信号との競合を判定する判定手段を含み、競合した場合には、前記主操作部からの操作信号に基づき前記投射手段を制御する、映像投射システム。
【請求項８】
請求項１〜７のいずれかにおいて、
前記主制御手段はパーソナルコンピュータである、映像投射システム。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
光源と、偏光ビームスプリッタと、ダイクロイック作用を有する色分離合成ユニットと、反射型液晶パネルとを有する光学ユニットであって、
前記偏光ビームスプリッタと前記色分離合成ユニットの間の光路に、光の進行方向に依存せず、光束の偏光方向を所定角度回転させる光学素子を設け、
該光学素子を通過する光束の偏光方向を所定角度だけ回転させるように構成したことを特徴とする光学ユニット。
【請求項２】
前記光学素子は、ファラデー回転子により構成したことを特徴とする請求項１に記載の光学ユニット。
【請求項３】
前記色分離合成ユニットはクロスダイクロイックプリズムであることを特徴とする請求項１乃至請求項２の何れか１項に記載の光学ユニット。
【請求項４】
前記偏光ビームスプリッタと前記色分離合成ユニットの間の光路に、更に１／２波長板もしくは１／２波長板同等の作用を有する偏光方向回転用光学素子を配したことを特徴とする請求項１乃至請求項３の何れか１項に記載の光学ユニット。
【請求項５】
前記ファラデー回転子は、通過する光束の偏光方向を略４５度回転させる機能を有することを特徴とする請求項２に記載の光学ユニット。
【請求項６】
前記偏光方向回転用光学素子は、通過する光束の偏光方向を略４５度または略１３５度だけ回転させる機能を有することを特徴とする請求項５に記載の光学ユニット。
【請求項７】
光源と、
偏光ビームスプリッタと、
ダイクロイック作用を有する色分離合成ユニットと、
反射型液晶パネルと、
前記偏光ビームスプリッタと前記色分離合成ユニットの間の光路に、光の進行方向に依存せず、光束の偏光方向を所定角度回転させる光学素子と、
前記反射型液晶パネルを映像信号に基づいて駆動する駆動回路と、
前記偏光ビームスプリッタを介して入射される、前記反射型液晶パネルからの光学像を拡大投射する投射レンズとを有することを特徴とする投射型プロジェクタ装置。
【請求項８】
前記光学素子は、通過する光束の偏光方向を略４５度だけ回転させるファラデー回転子であって、前記偏光ビームスプリッタと前記色分離合成ユニットの間の光路に、更に通過する光束の偏光方向を略４５度または略１３５度だけ回転させる偏光軸を有する１／２波長板を有することを特徴とする請求項７に記載の投射型プロジェクタ装置。
【請求項９】
白色光を放射する光源と、
該白色光をその偏光方向に基づいて反射または透過する偏光ビームスプリッタと、
該偏光ビームスプリッタを介して入射される白色光を赤、緑、青の３色に色分離し、反射型液晶パネルからの各色の反射光束色を合成する色分離合成ユニットと、
各色の映像信号に応じて光学像に変換し、入射光束の偏光方向と反射される該光学像の偏光方向とを同方向とする反射型液晶パネルと、
該反射型液晶パネルを、映像信号に基づいて駆動する駆動回路と、
前記偏光ビームスプリッタを介して入射される、前記反射型液晶パネルからの光学像を拡大投射する投射レンズと、
前記偏光ビームスプリッタと前記色分離合成ユニットとの間の光路に、
通過する光束の偏光方向を略４５度だけ回転させるファラデー回転子と、
通過する光束の偏光方向を略４５度または略１３５度だけ回転させる偏光軸を有する１／２波長板とを有することを特徴とする投射型プロジェクタ装置。
【請求項１０】
前記ファラデー回転子と前記色分離合成ユニットとの間の光路に、前記１／２波長板を配置したことを特徴とする請求項９に記載の投射型プロジェクタ装置。
【請求項１１】
前記偏光ビームスプリッタと前記ファラデー回転子との間の光路に、前記１／２波長板を配置したことを特徴とする請求項９に記載の投射型プロジェクタ装置。
【請求項１２】
前記反射型液晶パネルに入射する光束の偏光状態と、前記反射型液晶パネルで反射したＯＮ光束の偏光状態とを同一としたことを特徴とする請求項９乃至請求項１１の何れか１項に記載の投射型プロジェクタ装置。
【手続補正書】
【提出日】平成16年6月21日(2004.6.21)
【手続補正１】
【補正対象書類名】明細書
【補正対象項目名】特許請求の範囲
【補正方法】変更
【補正の内容】
【特許請求の範囲】
【請求項１】
対向する一対の基板間に液晶を挟持してなり、
前記一対の基板のうち一方の基板に設けられた反射層と、
前記一対の基板のうち一方または他方の基板に設けられ、互いに色が異なる複数の着色領域とを備え、
各前記着色領域には着色層が形成されており、
前記着色層は、互いに厚みが異なる薄肉部及び厚肉部を具備することを特徴とする液晶表示装置。
【請求項２】
請求項１において、
前記一対の基板の内面に一対の電極を備え、
前記一対の電極によって画素領域が構成され、
前記着色領域が前記画素領域に対応してなることを特徴とする液晶表示装置。
【請求項３】
請求項１または２において、前記複数の着色層が赤、青、緑の色を含むことを特徴とする液晶表示装置。
【手続補正２】
【補正対象書類名】明細書
【補正対象項目名】００１８
【補正方法】変更
【補正の内容】
【００１８】
【課題を解決するための手段】
上記課題を解決するために本発明が講じた手段は、対向する一対の基板間に液晶を挟持してなり、前記一対の基板のうち一方の基板に設けられた反射層と、前記一対の基板のうち一方または他方の基板に設けられ、互いに色が異なる複数の着色領域とを備え、各前記着色領域には着色層が形成されており、前記着色層は、互いに厚みが異なる薄肉部及び厚肉部を具備することを特徴とする。
【手続補正３】
【補正対象書類名】明細書
【補正対象項目名】００１９
【補正方法】変更
【補正の内容】
【００１９】
本発明の構成によれば、前記カラーフィルタの厚さを部分的に変えることで、画素領域内において所定の濃い領域と淡い領域とを有する濃淡パターンを形成することができる。
【手続補正４】
【補正対象書類名】明細書
【補正対象項目名】００２０
【補正方法】変更
【補正の内容】
【００２０】
この手段によれば、カラーフィルタが画素領域内において薄肉部と圧肉部とによって形成される濃淡パターンを備えているため、この濃淡パターンによって入射光又は反射光が変調されるので、液晶層が透明状態になっても、背景が映し込まれたり、直射光がそのままの状態で目に入ったりすることがなくなるから、画素領域によって形成される表示に影響を与えることなく、しかも、表示の明るさを損なうことなく、液晶表示装置の視認性を向上させることができる。
【手続補正５】
【補正対象書類名】明細書
【補正対象項目名】００２１
【補正方法】変更
【補正の内容】
【００２１】
また本発明に関わる別の態様では、前記反射層に複数の反射区画を設け、各反射区画は相互に異なる種類の材料で形成され、若しくは異なる条件で形成されていても良い。金属その他の反射性材料の種類や組成又は形成条件を変えることにより反射率の異なる反射区画を容易に形成することができる。
【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
キートップに文字等が表記された複数個のキーを備え、電子機器のタッチ入力検出エリアに貼付された状態で用いられるキーボードシートであって、
前記各キーの領域を区画する蛍光材料製のキー領域区画部を備えることを特徴とするキーボードシート。
【請求項２】
請求項１に記載のキーボードシートにおいて、
前記キー領域区画部は、前記各キーの輪郭に沿って形成されていることを特徴とするキーボードシート。
【請求項３】
請求項１または請求項２に記載のキーボードシートにおいて、
前記蛍光材料は、畜光性材料であることを特徴とするキーボードシート。
【請求項４】
請求項１〜請求項３のいずれかに記載のキーボードシートにおいて、
シート裏面には、この裏面を覆う剥離紙が粘着層を介して貼付され、
前記剥離紙は、前記表示画面と略同寸法で形成され、その一端側に前記シートが貼付されていることを特徴とするキーボードシート。
【請求項５】
請求項４に記載のキーボードシートにおいて、
前記剥離紙は、該キーボードシートの裏面において、少なくとも２つ以上に分割可能に構成されていることを特徴とするキーボードシート。
【請求項６】
請求項１〜請求項５のいずれかに記載のキーボードシートにおいて、
前記複数個のキーは、数字、英字および記号の３種類の文字のうち少なくとも２種類の文字がそれぞれキートップに表示される上下４段左右３列の１２個の文字キーを含むことを特徴とするキーボードシート。
【請求項７】
請求項１〜請求項６のいずれかに記載のキーボードシートが、前記表示画面のタッチ入力検出エリアに貼付されていることを特徴とする電子機器。
【請求項８】
複数種類の文字がそれぞれ表示された複数個の文字キーを有し、
これらの文字キーの領域内において、最初にタッチした点である始点の位置を検出する始点位置検出手段と、
前記始点からタッチしたまま所定長さ以上移動するバータッチ操作が解除された点である終点の位置を検出する終点位置検出手段と、
これらの検出された始点および終点に基づいて、前記始点から前記終点への直線距離および方向を取得するベクトル取得手段と、
このベクトル取得手段で取得された方向を判別可能な方向判別手段と、
前記ベクトル取得手段で取得された直線距離が所定範囲値内にあるか否かを判別する距離判別手段と、
前記直線距離が前記所定範囲値内にあると判別された場合に、前記始点を含む文字キーの中心位置に対して前記方向判別手段で判別された方向に応じて設定された文字を選択して出力するバータッチ入力手段と、
前記直線距離が前記所定範囲値外であると判別された場合に、前記方向に応じて設定された前記バータッチ入力の際のキー入力を補助する機能を動作させる補助機能手段と、
を備えることを特徴とする電子機器。
【請求項９】
請求項８に記載の電子機器において、
前記文字キーのキートップの左下側、下側および右下側の少なくともいずれかには英字が表示され、
前記文字キーのキートップの左上側、上側および右上側の少なくともいずれかには記号が表示され、
前記文字キーのキートップの右側および左側の少なくとも一方には数字が表示され、
前記方向判別手段は、前記ベクトル取得手段で取得された方向を、左下方向、下方向、右下方向、左上方向、上方向、右上方向、左方向および右方向の８つの方向に判別可能に構成されていることを特徴とする電子機器。
【請求項１０】
請求項９に記載の電子機器において、
前記補助機能手段は、前記方向判別手段で左方向と判別された場合には、カーソルの左隣側にある文字を削除するバックスペース機能を動作させ、
前記方向判別手段で右方向と判別された場合には、空白を入れるスペース機能を動作させることを特徴する電子機器。
【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
液晶パネルと、
前記液晶パネルに照射する光源と、
前記光源の色を時間順次で切り換え、それと同期して前記液晶パネルの透過あるいは反射状態を制御する駆動手段とを備えた液晶表示装置において、
時間的な加法混色でカラー表示を行う駆動と、
１色で階調表示するモノカラー表示を行う駆動と、からなる複数の駆動手段を備えたことを特徴とする液晶表示装置。
【請求項２】
前記モノカラー表示を行う駆動手段は、光源のいずれか１色で表示することを特徴とする請求項１記載の液晶表示装置。
【請求項３】
前記モノカラー表示を行う駆動手段は、光源のいずれか２色ないしは３色を同時に表示することを特徴とする請求項１記載の液晶表示装置。
【請求項４】
前記モノカラー表示を行う駆動手段は、中間色で表示することを特徴とする請求項１から３のいずれかに記載の液晶表示装置。
【請求項５】
前記中間色は白色であることを特徴とする請求項４記載の液晶表示装置。
【請求項６】
前記複数の駆動手段を任意に切り換えるための切り換え手段を備えたことを特徴とする請求項１から５のいずれかに記載の液晶表示装置。
【請求項７】
前記モノカラー表示の色を任意に切り換えるための切り換え手段を備えたことを特徴とする請求項１から６のいずれかに記載の液晶表示装置。
【請求項８】
表示画像パターンに応じて前記複数の駆動手段を自動で切り換えることを特徴とする請求項１から７のいずれかに記載の液晶表示装置。
【手続補正書】
【提出日】平成17年2月25日(2005.2.25)
【手続補正１】
【補正対象書類名】明細書
【補正対象項目名】００５６
【補正方法】変更
【補正の内容】
【００５６】
第２の実施の形態に係る測定用プローブ１ｂの製造方法は、第１工程において、第１の実施の形態で説明した測定用プローブ１ａと同様に、探針部６と、内側面１２ｂと外側面７ｂ（図５（ａ）に示す２点鎖線を含む）からなり薄板１７ｂで囲まれた中空部１４ｂと、を有すブロック部材１５ｂを形成し、該ブロック部材１５ｂが有す薄板１７ｂに、Ｖ溝（螺旋溝）３ｂを、垂直面（Ｖ溝の一の面）１０ｂが上記加圧方向と平行であると共に、Ｖ溝の頂点１１ｂが外側面７ｂ上に存するように加工する。つまり第２の工程において、Ｖ溝（螺旋溝）３ｂを薄板１７ｂに形成することにより螺旋バネ５を形成する。
【手続補正２】
【補正対象書類名】明細書
【補正対象項目名】００９２
【補正方法】変更
【補正の内容】
【００９２】
第５の実施の形態に係る測定用プローブ１ｅの製造方法は、第１工程において、第３及び第４の実施の形態で説明した測定用プローブ１ｃ，１ｄと同様に、探針部６と、内側面１２ｅと外側面７ｅ（図８（ａ）に示す２点鎖線含む）からなり薄板１７ｅで囲まれた中空部１４ｅと、を有すブロック部材１５ｅを形成し、第２の工程において、上記台形溝からなる螺旋溝３ｅを、上記ブロック部材１５ｅが有す薄板１７ｅに形成する。
【手続補正書】
【提出日】平成16年5月10日(2004.5.10)
【手続補正１】
【補正対象書類名】明細書
【補正対象項目名】請求項１
【補正方法】変更
【補正の内容】
【請求項１】
ぜんまいをエネルギー源として輪列を駆動するとともに、輪列からの回転を受けて回転する発電機に電力を生じさせ、この電力により駆動される電子回路によって前記発電機の回転周期を制御することで、輪列に制動をかけて調速するようにした電子制御式機械時計において、
前記ぜんまいに直接駆動される香箱車と、前記発電機の回転子であるローターとの間に、前記輪列を構成する番車として、二番車、三番車、四番車、五番車および六番車が設けられ、前記ローターのかな部と噛み合う前記六番車の歯車部と、前記五番車の回転中心とが平面的に重ならない位置に配置されていることを特徴とする電子制御式機械時計。
【手続補正書】
【提出日】平成16年7月2日(2004.7.2)
【手続補正１】
【補正対象書類名】明細書
【補正対象項目名】特許請求の範囲
【補正方法】変更
【補正の内容】
【特許請求の範囲】
【請求項１】
送信アンテナから送信信号を放射し、前記送信信号が目標物により反射された反射信号を、二つ以上の受信アンテナで受信し、前記目標物を検知するモノパルスレーダ装置であって、
前記二つ以上の受信アンテナに接続された複数の信号線路と、
前記送信信号を前記二つ以上の受信アンテナに接続された複数の信号線路の夫々へ校正用信号として供給する校正用信号線路と、
前記校正用信号に基づいて算出される擬似目標物の方位角がモノパルスレーダの所定の角度になるように調整する信号処理手段とを有し、
前記信号処理手段は、前記送信信号が前記校正用信号線路を介して前記校正用信号として供給される場合に、前記擬似目標物の方位角を算出することを特徴とするモノパルスレーダ装置。
【請求項２】
前記校正用信号線路を導通又は遮断状態にするスイッチを更に有することを特徴とする請求項1記載のモノパルスレーダ装置。
【請求項３】
請求項２に記載のモノパルスレーダ装置において、前記スイッチの導通状態を定期的、又は、所定のタイミングにおいて発生させるスイッチ駆動手段をもつことを特徴とするモノパルスレーダ装置。
【請求項４】
請求項1、2又は3記載のモノパルスレーダ装置において、前記校正用信号を低周波信号で変調する変調手段を更に有することを特徴とするモノパルスレーダ装置。
【請求項５】
請求項１ないし４のいずれか一つに記載のモノパルスレーダ装置において、前記信号処理手段は、少なくとも1つの受信アンテナの信号処理するチャネルに前記校正用信号の位相又は振幅の少なくとも一方を補正する補正手段と前記補正手段手段を駆動する制御信号発生部をもつことを特徴とするモノパルスレーダ装置。
【請求項６】
請求項２ないし４のいずれか一つに記載のモノパルスレーダ装置において、前記信号処理手段は、
前記スイッチを導通状態にして、前記校正用信号により検出される前記擬似目標物の方位角を算出し、算出された方位角が、所定の角度になるように補正用データを求める手段と、
前記補正用データを記憶する記憶手段と、
前記目標物の方位角を算出する際、前記記憶手段に記憶されている前記補正用データを基に、角度補正を行なう補正手段とを有することを特徴とするモノパルスレーダ装置。
【請求項７】
請求項１ないし６のいずれか一つに記載のモノパルスレーダ装置において、前記校正用信号は、等電力、且つ、等位相で前記二つ以上の受信アンテナの出力部に供給されることを特徴とするモノパルスレーダ装置。
【請求項８】
送信アンテナから送信信号を放射し、前記送信信号が目標物により反射された反射信号を、二つ以上の受信アンテナで受信し、前記目標物を検知するモノパルスレーダ装置であって、
前記送信アンテナに接続された信号線路と、
前記二つ以上の受信アンテナに接続された複数の信号線と、
前記送信アンテナに接続された信号線路と前記二つ以上の受信アンテナに接続された複数の信号線路とを接続する校正用信号線路と、前記校正用信号線路を導通、遮断するスイッチとを有することを特徴とするモノパルスレーダ装置。
【手続補正２】
【補正対象書類名】明細書
【補正対象項目名】０００７
【補正方法】変更
【補正の内容】
【０００７】
一方、図２で示した従来のモノパルスレーダ装置では、混合器MIX１、MIX２で生成される低周波信号から、位相差又は振幅差を検出し、それを基に目標物の方位角を算出する。従って、受信アンテナANT２によるチャンネルＣＨ１と受信アンテナANT３によるチャンネルＣＨ２の特性は、非常に高い精度で一致しているか又は予めその差を把握しておく必要がある。
【手続補正３】
【補正対象書類名】明細書
【補正対象項目名】００１４
【補正方法】変更
【補正の内容】
【００１４】
【課題を解決するための手段】
上記目的を達成するために、本発明のモノパルスレーダ装置は、送信信号の一部を、各受信アンテナ又は受信アンテナにつながる信号線路（すなわち複数の受信アンテナ出力部のそれぞれ）へ校正用信号として供給する校正用信号線路が設けられる。また、前記校正用信号による擬似目標物の方位角を算出し、各信号線に供給される校正用信号間の強度（電力）や位相差などの差に基づき、モノパルスレーダが本来算出すべき方位角を設定し、上記本来算出すべき方位角と先に校正用信号により算出された擬似目標物の方位角が一致するように振幅又は位相の少なくとも一方を調整する補正手段が設けられる。
【手続補正４】
【補正対象書類名】明細書
【補正対象項目名】００２４
【補正方法】変更
【補正の内容】
【００２４】
図１０は、本発明によるモノパルスレーダ装置の他の実施形態の構成を示すブロック図である。本実施形態は７７ＧＨｚ帯の信号を用いる自動車レーダに用いた実施例である。受信アンテナANT２及びANT３の受信特性はそれぞれ、図４のように、中心線に対して対称な受信パターンＳ１及びＳ２を持っている。また、送信信号を生成する信号発生器と、混合器MIX1、MIX2に入力する局部信号を生成する信号発生器は、共通の信号発生器OSC1を用いている。
【手続補正書】
【提出日】平成16年7月16日(2004.7.16)
【手続補正１】
【補正対象書類名】明細書
【補正対象項目名】発明の名称
【補正方法】変更
【補正の内容】
【発明の名称】帳票処理装置およびプログラム
【手続補正２】
【補正対象書類名】明細書
【補正対象項目名】特許請求の範囲
【補正方法】変更
【補正の内容】
【特許請求の範囲】
【請求項１】
帳票に記載される文字と該文字の記載される座標とを有する入力データの取得手段と、該入力データの処理を制御する制御手段とデータ記憶手段を備え、
上記記憶手段は、帳票に印刷される欄の情報を記憶し、
上記制御手段は、上記取得手段から取得した入力データから上記欄の情報を用いて帳票の内容欄と項目欄に記載される文字列を抽出し、上記内容欄に対応する項目欄中に記載される文字列を該内容欄の文字列に属性として付与し、上記属性づけられた文字列を上記データ記憶手段に記憶させる処理を制御することを特徴とする帳票処理装置。
【請求項２】
上記入力データは線情報を有し、上記記憶手段は上記欄の情報を、項目欄は該項目欄中の文字列、内容欄は対応する項目欄に記載される文字列と対応づけて辞書として記憶し、上記制御手段は、上記入力データから線情報を抽出し、
上記辞書に記憶される欄情報と上記抽出された線情報を照合し、
上記照合結果に基づいて、内容欄内の文字列に上記辞書に記憶される対応する項目欄の文字列を属性として付与することを特徴とする請求項１記載の帳票処理装置。
【請求項３】
上記制御手段は、入力データの続紙の内容に対して特定の属性を付与することを特徴とする請求項１又は２のいずれかに記載の帳票処理装置。
【請求項４】
帳票に記載される文字と該文字の記載される座標とを有する入力データを入力するための入力データ取得手段と、帳票に印刷された欄情報を記憶するデータ記憶手段を有するコンピュータに帳票処理を実行させるためのプログラムであって、
上記入力データ取得手段を用いて入力データを取得するステップと、
上記記憶手段にアクセスして記憶される欄情報を取得するステップと、
該欄情報を用いて上記入力データから内容欄と項目欄に記載される文字列を抽出するステップと、
上記内容欄に対応する項目欄に記載される文字列を当該文字列に属性として付与して上記記憶手段に記憶させるステップと、を有することを特徴とするプログラム。
【請求項５】
検索条件として属性と内容欄に記載される文字列に関する条件を入力するステップと、
当該入力データから上記指定属性に対応する内容欄の位置座標を抽出するステップと、
上記内容欄に含まれる文字列を抽出するステップと、
上記内容欄の文字列が上記検索条件を満たす帳票を探索し出力するステップとをコンピュータに実行させるための請求項４記載のプログラム。
【手続補正３】
【補正対象書類名】明細書
【補正対象項目名】０００１
【補正方法】変更
【補正の内容】
【０００１】
【発明の属する技術分野】
本発明は、テキスト、グラフィックス等からなる帳票情報の処理の技術分野に属し、入力されたデータを処理しその処理データを出力するとともに、出力データを復元および属性付与する帳票処理装置およびそのプログラムに関する。
【手続補正４】
【補正対象書類名】明細書
【補正対象項目名】００１２
【補正方法】変更
【補正の内容】
【００１２】
本願は、帳票に記載される文字と該文字の記載される座標とを有する入力データの取得手段と、該入力データの処理を制御する制御手段とデータ記憶手段を備え、上記記憶手段は、帳票に印刷される欄の情報を記憶し、上記制御手段は、上記取得手段から取得した入力データから上記欄の情報を用いて帳票の内容欄と項目欄に記載される文字列を抽出し、上記内容欄に対応する項目欄中に記載される文字列を該内容欄の文字列に属性として付与し、上記属性づけられた文字列を上記データ記憶手段に記憶させる処理を制御することを特徴とする帳票処理装置開示する。詳しくは、上記欄情報を、項目欄は該項目欄中の文字列、内容欄は対応する項目欄に記載される文字列と対応づけられて辞書として記憶し、上記制御手段は、上記印刷データから線情報を抽出して上記辞書に記憶される欄情報と上記抽出された線情報を照合し、照合結果に基づいて、内容欄内の文字列に上記辞書に記憶される対応する項目欄の文字列を属性として付与することを特徴とする。よって、印刷データから内容欄の位置座標を検出し、その内容欄に含まれる文字列に属性を付与するので、印刷データ内の文字列を項目の文字列とその項目に対応した内容の文字列に選別することができる。又、予め欄の構造をもつ保持した枠構造辞書や、項目欄と内容欄の相対的な位置関係を保持した属性辞書を利用するので、印刷データから抽出した文字列に対して、項目の文字列と、その項目に対応した内容の文字列を区別することができる。
【手続補正５】
【補正対象書類名】明細書
【補正対象項目名】００１３
【補正方法】変更
【補正の内容】
【００１３】
さらに、入力データの続紙の内容に対して特定の属性を付与することにより、続紙の入力データを１枚目の印刷データと併せて一つの印刷データとしており、また、続紙の内容に特定の属性、例えば、レセプトでは明細欄という属性を付与するので、続紙から内容を抽出することができる。
【手続補正書】
【提出日】平成16年7月15日(2004.7.15)
【手続補正１】
【補正対象書類名】明細書
【補正対象項目名】特許請求の範囲
【補正方法】変更
【補正の内容】
【特許請求の範囲】
【請求項１】
取り外し可能な記憶装置であって、
メモリ・モジュールと、
コントローラと、
利用可能な記憶空間量の表示を伝える記憶空間インジケータとが含まれていることを特徴とする記憶装置。
【請求項２】
前記記憶装置は、不揮発性の記憶装置を有することを特徴とする、請求項１に記載の記憶装置。
【請求項３】
前記記憶装置は、メモリ・カードを有することを特徴とする請求項１に記載の記憶装置。
【請求項４】
前記記憶装置は、フラッシュ・メモリ・モジュールを有することを特徴とする請求項１に記載の記憶装置。
【請求項５】
前記記憶装置は、原子分解能（ＡＲＳ）の記憶装置を有することを特徴とする請求項１に記載の記憶装置。
【請求項６】
前記記憶装置は、磁気ランダム・アクセス・メモリ（ＭＲＡＭ）を有することを特徴とする請求項１に記載の記憶装置。
【請求項７】
前記記憶空間インジケータは、ディスプレイを有することを特徴とする、請求項１に記載の記憶装置。
【請求項８】
取り外し可能で不揮発性のメモリ・カードであって、
少なくとも一つのメモリ・モジュールと、
カード・コントローラと、
前記メモリ・カードの外面に設けられた不揮発性のディスプレイであって、利用可能な記憶空間量を表示するディスプレイと、
を有することを特徴とするメモリ・カード。
【請求項９】
記憶装置から得られる記憶空間量を表示するための記憶空間量表示方法であって、
少なくとも１つのメモリ・モジュールにおいて利用可能な記憶空間量を求めるステップと、
前記記憶装置の不揮発性ディスプレイを更新して、利用可能な空間量を伝えるステップと、を有することを特徴とする記憶空間量表示方法。
【手続補正書】
【提出日】平成17年4月21日(2005.4.21)
【手続補正１】
【補正対象書類名】明細書
【補正対象項目名】特許請求の範囲
【補正方法】変更
【補正の内容】
【特許請求の範囲】
【請求項１】
複数の外部装置で使用可能で、前記外部装置の用途に合った複数のアプリケーションプログラムを格納し、命令データを受信すると、指示された処理を実行する携帯可能電子装置において、
前記複数のアプリケーションプログラムの夫々に対応した消費電流を制限する制御情報を記憶する記憶手段と、
前記外部装置より供給された外部クロック信号に基づいて内部クロック信号を生成する内部クロック生成手段と、
前記外部装置からの命令データを受信する受信手段と、
この受信手段によって受信された命令データが実行されるアプリケーションに対応して前記記憶手段に記憶された制御情報に基づいて前記内部クロック生成手段によって内部クロック信号を生成し、この生成された内部クロック信号に基づいて前記受信された命令データを実行する実行手段と、
を有することを特徴とする携帯可能電子装置。
【請求項２】
前記記憶手段は、前記消費電流を制限する制御情報として前記複数のアプリケーションプログラムの夫々に対応した内部クロック信号の周波数に関する情報を記憶しており、
前記実行手段は、上記受信手段によって受信された命令データが実行されるアプリケーションに対応して前記記憶手段に記憶された前記内部クロック信号の周波数で前記内部クロック生成手段により内部クロック信号を生成し、この内部クロック信号に基づいて前記受信された命令データを実行することを特徴とする請求項1記載の携帯可能電子装置。
【請求項３】
上記実行手段は、
上記受信手段によってアプリケーションの選択を指示する命令データが受信されると、前記命令データで選択されたアプリケーションに対応して前記記憶手段に記憶された内部クロック信号の周波数に関する情報に基づいて、前記内部クロック生成手段によって生成される内部クロック信号の周波数を変更する変更手段と、
この変更手段によって変更された周波数で前記内部クロック生成手段により内部クロック信号を生成し、内部クロック信号に基づいて前記受信された命令データを処理する処理手段と、
を有することを特徴とする請求項２記載の携帯可能電子装置。
【請求項４】
前記内部クロック生成手段は、前記外部装置より供給された外部クロック信号の周波数を逓倍して内部クロック信号を生成するものであり、
前記記憶手段は、前記消費電流を制限する制御情報として前記複数のアプリケーションプログラムの夫々に対応した前記内部クロック生成手段によって逓倍される倍率情報を記憶しており、
前記実行手段は、上記受信手段によって受信された命令データが実行されるアプリケーションに対応して前記記憶手段に記憶された倍率で前記内部クロック生成手段によって逓倍して内部クロック信号を生成し、この内部クロック信号に基づいて前記受信された命令データを実行することを特徴とする請求項1記載の携帯可能電子装置。
【請求項５】
上記実行手段は、
上記受信手段によってアプリケーションの選択を指示する命令データが受信されると、前記命令データで選択されたアプリケーションに対応して前記記憶手段に記憶された倍率に、前記内部クロック生成手段によって逓倍される倍率を変更する変更手段と、
この変更手段によって変更された倍率で前記内部クロック生成手段によって逓倍して内部クロック信号を生成し、この内部クロック信号に基づいて前記受信された命令データを処理する処理手段と、
を有することを特徴とする請求項４記載の携帯可能電子装置。
【請求項６】
複数の外部装置で使用可能で、前記外部装置の用途に合った複数のアプリケーションプログラムを格納し、命令データを受信すると、指示された処理を実行する携帯可能電子装置において、
前記外部装置によるリセット動作に対して初期応答データを出力する前に、前記外部装置から供給される外部クロック信号に基づいて第1の周波数の内部クロック信号を生成する第1の生成手段と、
前記複数のアプリケーションプログラムのうちの第1のアプリケーションプログラムに対応して前記第1の周波数よりも高い第２の周波数に関する情報を記憶し、前記第1のアプリケーションプログラムとは異なる第２のアプリケーションプログラムに対応して前記第２の周波数よりも低い第３の周波数に関する情報を記憶する記憶手段と、
前記外部装置からの命令データを受信する受信手段と、
この受信手段によってアプリケーションの選択を指示する命令データが受信され、この命令データにより前記第1のアプリケーションプログラムが選択された場合には前記記憶手段に記憶された前記第２の周波数に内部クロック信号の周波数を変更し、前記命令データにより前記第２のアプリケーションプログラムが選択された場合には前記記憶手段に記憶された前記第３の周波数に内部クロック信号の周波数を変更する変更手段と、
この変更手段による変更結果に基づいて前記外部装置から供給される外部クロック信号の周波数を変更した内部クロック信号を生成する第２の生成手段と、この第２の生成手段によって生成された内部クロック信号に基づいて前記受信された命令データを処理する処理手段と、
を有することを特徴とする携帯可能電子装置。
【請求項７】
前記記憶手段は、前記複数のアプリケーションプログラムのうちの第1のアプリケーションプログラムに対応して前記第1の周波数よりも高い第２の周波数に関する情報を記憶し、電池で駆動される外部装置向けの第２のアプリケーションプログラムに対応して前記第２の周波数よりも低い第３の周波数に関する情報を記憶することを特徴とする請求項６記載の携帯可能電子装置。
【請求項８】
外部装置から電力供給を受け、指示された処理を実行する携帯可能電子装置において、前記外部装置より供給された外部クロック信号に基づいて内部クロック信号を生成する内部クロック生成手段と、前記外部装置からの命令データを受信する受信手段と、この受信手段によって命令データが受信された際に前記内部クロック生成手段によって内部クロック信号を生成し、この生成された内部クロック信号に基づいて前記受信された命令データを実行する実行手段とを有するＩＣチップと、このＩＣチップを埋設するＩＣカード本体とを有することを特徴とする携帯可能電子装置。
【手続補正書】
【提出日】平成16年2月4日(2004.2.4)
【手続補正１】
【補正対象書類名】明細書
【補正対象項目名】特許請求の範囲
【補正方法】変更
【補正の内容】
【特許請求の範囲】
【請求項１】
複数の記録素子を有する記録ヘッドを用いて記録を行う記録装置であって、
少なくとも前記複数の記録素子の内の不良記録素子に関する不良記録素子情報を記憶する記憶手段と、
前記不良記録素子情報が示す不良記録素子に対応する記録データをマスクし、前記不良記録素子に対応する記録データを補完して記録するための補完記録素子を決定する決定手段と、
前記決定手段で決定された補完記録素子を用いて、前記不良記録素子の記録データの記録を行う記録手段と
を備えることを特徴とする記録装置。
【請求項２】
前記記憶手段は、前記記録ヘッド内に搭載されている
ことを特徴とする請求項１に記載の記録装置。
【請求項３】
前記不良記録素子情報は、前記記録装置および記録ヘッド着荷後に、所定記録モードにて検出され、前記記憶手段に記憶される
ことを特徴とする請求項１に記載の記録装置。
【請求項４】
前記記憶手段は、工場出荷時の前記不良記録素子情報を記憶する第１領域と、前記記録装置および前記記録ヘッド着荷後に、所定記録モードにて検出された不良記録素子情報を記憶する第２記憶領域を有する
ことを特徴とする請求項１に記載の記録装置。
【請求項５】
前記決定手段は、前記記録ヘッドの記録走査方向に前記不良記録素子と並列する記録素子を補完記録素子として決定し、
前記記録手段は、前記不良記録素子が記録すべき記録走査と同一の記録走査で、前記補完記録素子を用いて該不良記録素子の記録データの記録を行う
ことを特徴とする請求項１に記載の記録装置。
【請求項６】
前記決定手段は、前記不良記録素子と同一色のインクを記録する同一記録素子列に属する記録素子を補完記録素子として決定し、
前記記録手段は、前記不良記録素子が記録すべき記録走査と異なる記録走査で、前記補完記録素子を用いて該不良記録素子の記録データの記録を行う
ことを特徴とする請求項１に記載の記録装置。
【請求項７】
前記記録装置が複数の記録モードを有する場合、前記決定手段は、指定される記録モードに応じて、前記不良記録素子情報が示す不良記録素子の記録データをマスクし、該記録データの記録を補完する補完記録素子を決定する
ことを特徴とする請求項１に記載の記録装置。
【請求項８】
複数の記録素子を有する記録ヘッドを用いて記録を行う記録装置の制御方法であって、
少なくとも前記複数の記録素子の内の不良記録素子に関する不良記録素子情報を記憶する記憶媒体を参照して、前記不良記録素子情報が示す不良記録素子に対応する記録データをマスクし、前記不良記録素子に対応する記録データを補完して記録するための補完記録素子を決定する決定工程と、
前記決定工程で決定された補完記録素子を用いて、前記不良記録素子の記録データの記録を行う記録工程と
を備えることを特徴とする記録装置の制御方法。
【請求項９】
前記記憶媒体は、前記記録ヘッド内に搭載されている
ことを特徴とする請求項８に記載の記録装置の制御方法。
【請求項１０】
前記不良記録素子情報は、前記記録装置および記録ヘッド着荷後に、所定記録モードにて検出され、前記記憶工程で前記記憶媒体に記憶される
ことを特徴とする請求項８に記載の記録装置の制御方法。
【請求項１１】
前記記憶媒体は、工場出荷時の前記不良記録素子情報を記憶する第１領域と、前記記録装置および前記記録ヘッド着荷後に、所定記録モードにて検出された不良記録素子情報を記憶する第２記憶領域を有する
ことを特徴とする請求項８に記載の記録装置の制御方法。
【請求項１２】
前記決定工程は、前記記録ヘッドの記録走査方向に前記不良記録素子と並列する記録素子を補完記録素子として決定し、
前記記録工程は、前記不良記録素子が記録すべき記録走査と同一の記録走査で、前記補完記録素子を用いて該不良記録素子の記録データの記録を行う
ことを特徴とする請求項８に記載の記録装置の制御方法。
【請求項１３】
前記決定工程は、前記不良記録素子と同一色のインクを記録する同一記録素子列に属する記録素子を補完記録素子として決定し、
前記記録工程は、前記不良記録素子が記録すべき記録走査と異なる記録走査で、前記補完記録素子を用いて該不良記録素子の記録データの記録を行う
ことを特徴とする請求項８に記載の記録装置の制御方法。
【請求項１４】
前記記録装置が複数の記録モードを有する場合、前記決定工程は、指定される記録モードに応じて、前記不良記録素子情報が示す不良記録素子の記録データをマスクし、該記録データの記録を補完する補完記録素子を決定する
ことを特徴とする請求項８に記載の記録装置の制御方法。
【請求項１５】
複数の記録素子を有する記録ヘッドを用いて記録を行う記録装置の制御のプログラムコードが格納されたコンピュータ可読メモリであって、少なくとも前記複数の記録素子の内の不良記録素子に関する不良記録素子情報を記憶する記憶媒体を参照して、前記不良記録素子情報が示す不良記録素子に対応する記録データをマスクし、前記不良記録素子に対応する記録データを補完して記録するための補完記録素子を決定する決定工程のプログラムコードと、
前記決定工程で決定された補完記録素子を用いて、前記不良記録素子の記録データの記録を行う記録工程のプログラムコードと
を備えることを特徴とするコンピュータ可読メモリ。
【請求項１６】
複数の記録素子を有する記録ヘッドを用い、各記録素子に対応した記録データに基づいて記録を行う記録装置であって、
前記記録ヘッドに設けられて記録ヘッドの不良記録素子に関する情報を記憶する記憶手段より、前記情報を読み取る読取手段と、
前記読取り手段により読み取った前記情報に基づき、前記記録ヘッドの不良記録素子に対応する記録データを、該不良記録素子を除く他の記録素子により補完して記録を行うための補完記録制御手段と、
を有することを特徴とする記録装置。
【請求項１７】
複数の記録素子を有する記録ヘッドを用い、各記録素子に対応した記録データに基づいて記録を行う記録装置の制御方法であって、
前記記録ヘッドに設けられて記録ヘッドの不良記録素子に関する情報を記憶する記憶手段より、前記情報を読み取る読取工程と、
前記記憶手段より読み取った前記情報に基づき、前記記録ヘッドの不良記録素子に対応する記録データを、該不良記録素子を除く他の記録素子により補完して記録を行うための補完記録工程と、
からなることを特徴とする記録装置の制御方法。
【請求項１８】
複数の記録素子を有する記録ヘッドを用い、各記録素子に対応した記録データに基づいて記録を行う記録装置の制御のプログラムコードが格納されたコンピュータ可読メモリであって、
前記記録ヘッドに設けられて記録ヘッドの不良記録素子に関する情報を記憶する記憶手段より、前記情報を読み取る読取工程のプログラムコードと、
前記記憶手段より読み取った前記情報に基づき、前記記録ヘッドの不良記録素子に対応する記録データを、該不良記録素子を除く他の記録素子により補完して記録を行うための補完記録工程のプログラムコードと、
からなることを特徴とするコンピュータ可読メモリ。
【手続補正書】
【提出日】平成16年5月7日(2004.5.7)
【手続補正１】
【補正対象書類名】明細書
【補正対象項目名】特許請求の範囲
【補正方法】変更
【補正の内容】
【特許請求の範囲】
【請求項１】
表面を有する基板と、
前記基板の前記表面に設けられたほぼ四角形または角錐台形の第１の空洞と、
前記第１の空洞の開口部を二分し、前記開口部の対角線と垂直な線上に整列した光学軸を備え、前記第１の空洞から所定の距離をあけて前記基板に取り付けられたフォトニクス素子と、
光ビームを遮ることなく、前記フォトニクス素子と所定の関係をなすように、前記第１の空洞の側壁によって収容された球面レンズとを備えた光学素子。
【請求項２】
前記第１の空洞の側壁が、前記基板の結晶面であることを特徴とする請求項１記載の光学素子。
【請求項３】
前記基板が＜１００＞表面を備え、かつ、前記第１の空洞の側壁が＜１１１＞結晶面であることを特徴とする請求項１または２に記載の光学素子。
【請求項４】
前記第１の空洞と互いに重なり合う、四角形または角錐台形の第２の空洞をさらに備え、前記第２の空洞が、前記線に沿って前記フォトニクス素子から離れた前記第１の空洞の角に切り欠きを形成することを特徴とする請求項１から３のいずれかに記載の光学素子。
【請求項５】
前記第１の空洞が、前記線に沿って前記フォトニクス素子から離れた前記第１の空洞の角にＶ字形状の切り欠きを有することを特徴とする請求項１から４のいずれかに記載の光学素子。
【請求項６】
前記第１の空洞が、さらに、前記線に沿って前記フォトニクス素子に隣接した切頭角を有することを特徴とする請求項１から５のいずれかに記載の光学素子。
【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
光ファイバの一端を光学構成要素に光学的に接続するための装置であって、
前記光学構成要素に対して前記光ファイバを所定の位置となるようにして支持するガイドを含むアダプタを有し、該アダプタは、少なくとも一部に前記光学構成要素の補完相手部品と係合する形状を成す非対称の断面を有する部分を含み、
さらに、前記アダプタを前記光学構成要素に結合して固定する唯一の手段として磁気手段を備えることを特徴とする装置。
【請求項２】
光ファイバの一端を光学構成要素に光学的に接続するためのアダプタで、前記光学構成要素の光軸に対して前記光ファイバを所定の位置となるようにして支持するガイドと、挿入されたときに前記光ファイバの光軸に対して回転方向に非対称な断面を有して前記光学構成要素の補完相手部品と係合するよう構成され、前記ガイドを保持する部分を少なくとも含むハウジングとを備えるアダプタにおいて、
前記ハウジングに取り付けられる磁気手段で、前記光学部品の対応磁気手段によって前記アダプタを対面する前記光学構成要素に結合する磁気手段を有することを特徴とするアダプタ。
【請求項３】
請求項２に記載のアダプタと、光学構成要素とを有するシステムであって、
前記光学構成要素は、
挿入されたときに前記光ファイバの光軸に対して回転方向に非対称な断面を有する前記アダプタの部分と係合する対応係合部分と、
前記アダプタを該アダプタの対応磁気手段によって前記光学構成要素に結合するための磁気手段とを備えることを特徴とするシステム。
【請求項４】
前記光学構成要素はハウジングを備え、該ハウジングの少なくとも一部分には、前記アダプタの前記非対称部分と同じ形状の断面を有する補完相手部品があって、前記光学構成要素に対して前記アダプタを整列しやすくしていることを特徴とする、請求項３に記載のシステム。
【請求項５】
前記光学構成要素は、
前記光ファイバの光軸上に配置されたフォトダイオードを備えた測定器、または
反対側に非対称断面を有する第２の部分を備え、該第２の部分は更に他の光学構成要素の補完相手部品に係合しているスペーサ要素のいずれかであることを特徴とする、請求項３又は４のいずれかに記載のシステム。
【請求項６】
前記アダプタおよび／または前記光学構成要素は、該光学構成要素の一つの凹んだＤ形の補完相手部品に係合する隆起Ｄ形部分を備えていることを特徴とする、請求項３に記載のシステム。
【請求項７】
少なくとも前記隆起Ｄ形部分は、強磁性材料を含み、前記光学構成要素の一方の前記補完相手部品に磁力により係合することを特徴とする、請求項６に記載のシステム。
【請求項８】
前記補完相手部品は、前記隆起Ｄ形部分を前記補完相手部品に固定するための一つ以上の磁石を備えていることを特徴とする、請求項７に記載のシステム。
【請求項９】
前記非対称部分および前記補完相手部品は、平面を備えていることを特徴とする、請求項８に記載のシステム。
【請求項１０】
前記平面は、該平面の下に配置された一つ以上の磁石を備えていることを特徴とする、請求項９記載のシステム。
【請求項１１】
前記アダプタおよび／または前記構成要素は、少なくとも部分的にプラスチックで覆われていることを特徴とする、請求項１０に記載のシステム。
【手続補正書】
【提出日】平成16年3月15日(2004.3.15)
【手続補正１】
【補正対象書類名】明細書
【補正対象項目名】特許請求の範囲
【補正方法】変更
【補正の内容】
【特許請求の範囲】
【請求項１】
Ｘ軸方向に沿って配置された複数の極を含み、各極は交流励磁に応じて出力を生じる巻線部を有しているＸ軸検出部と、Ｙ軸方向に沿って配置された複数の極を含み、各極は交流励磁に応じて出力を生じる巻線部を有しているＹ軸検出部とを、２次元面上で交差して配置してなる基部と、
前記基部に対してＸ及びＹ軸方向に相対的に変位するものであり、所定の磁気応答材質を含んで構成されてなる磁気応答部材と
を具備してなり、前記基部の２次元面に対する前記磁気応答部材の相対的位置に応じたＸ軸成分位置検出信号とＹ軸成分位置検出信号とを前記Ｘ軸検出部及びＹ軸検出部から夫々出力することを特徴とする誘導型２次元位置検出装置。
【請求項２】
前記Ｘ軸検出部における個々の極が、Ｙ軸方向に列を成して構成されて、前記Ｙ軸検出部における個々の極が、Ｘ軸方向に列を成して構成されていることを特徴とする請求項１に記載の誘導型２次元位置検出装置。
【請求項３】
前記Ｘ軸検出部とＹ軸検出部とが前記２次元面上の１点で交差し、各極が略扇形状の広がりを持つことを特徴とする請求項１に記載の誘導型２次元位置検出装置。
【請求項４】
前記Ｘ軸検出部及びＹ軸検出部の夫々は、１相の交流信号によって励磁され、前記磁気応答部材の相対的位置に応じて、サイン相の振幅関数特性を示す出力交流信号と、コサイン相の振幅関数特性を示す出力交流信号との２相の出力交流信号を出力するタイプのレゾルバ型位置検出原理によって構成されたものである請求項１乃至３のいずれかに記載の誘導型２次元位置検出装置。
【請求項５】
前記サイン相の振幅関数特性を示す出力交流信号とコサイン相の振幅関数特性を示す出力交流信号とに基づき、該サイン相の振幅関数及びコサイン相の振幅関数の位相値を検出し、前記磁気応答部材の相対的位置に応じた位相値検出データを得る位相検出回路を更に備えた請求項４に記載の誘導型２次元位置検出装置。
【請求項６】
前記Ｘ軸検出部及びＹ軸検出部の夫々は、１相の交流信号によって励磁され、前記磁気応答部材の相対的位置に応じた振幅関数特性を示す出力交流信号を出力するタイプの差動トランス型位置検出原理によって構成されたものである請求項１乃至３のいずれかに記載の誘導型２次元位置検出装置。
【請求項７】
前記磁気応答部材は、球形状を成したものである請求項１乃至６のいずれかに記載の誘導型２次元位置検出装置。
【請求項８】
前記基部はわん曲面を有しており、前記磁気応答部材は、非固定形状の物体からなるものである請求項１乃至６のいずれかに記載の誘導型２次元位置検出装置。
【手続補正２】
【補正対象書類名】明細書
【補正対象項目名】０００４
【補正方法】変更
【補正の内容】
【０００４】
【課題を解決するための手段】
本発明に係る誘導型２次元位置検出装置は、Ｘ軸方向に沿って配置された複数の極を含み、各極は交流励磁に応じて出力を生じる巻線部を有しているＸ軸検出部と、Ｙ軸方向に沿って配置された複数の極を含み、各極は交流励磁に応じて出力を生じる巻線部を有しているＹ軸検出部とを、２次元面上で交差して配置してなる基部と、前記基部に対してＸ及びＹ軸方向に相対的に変位するものであり、所定の磁気応答材質を含んで構成されてなる磁気応答部材とを具備してなり、前記基部の２次元面に対する前記磁気応答部材の相対的位置に応じたＸ軸成分位置検出信号とＹ軸成分位置検出信号とを前記Ｘ軸検出部及びＹ軸検出部から夫々出力することを特徴とする。


【手続補正３】
【補正対象書類名】明細書
【補正対象項目名】０００５
【補正方法】変更
【補正の内容】
【０００５】
本発明によれば、基部の２次元面に対する磁気応答部材の相対的位置に応じてＸ軸検出部及びＹ軸検出部の各極の巻線部の出力が生じ、これに応じたＸ軸成分位置検出信号とＹ軸成分位置検出信号とが前記Ｘ軸検出部及びＹ軸検出部から夫々得られ、両Ｘ，Ｙ軸成分位置の組合せによって２次元位置の検出がなされる。